(57)【要約】      （修正有）【課題】イヤリングが外れた場合に気付かせることが可能になり、耳への固定負担を増やさず、取付ける手間もかからないイヤリング紛失防止具を提供する。【解決手段】耳たぶ挟着型のイヤリングＰの固定具Ｐ１に固定する連結リング１を設ける。連結リング１を両端に有する紐状の結合体２を設ける。各連結リング１を左右の固定具Ｐ１にそれぞれ連結する。結合体２で左右のイヤリングＰをつなぎ合わせる。結合体２を両耳から首の後側に配される長さに形成する。連結リング１に開閉自在な係止フックを設ける。装飾用のチェーンにて結合体２を形成する。【選択図】図１
0003219445.tif 000002
【実用新案登録請求の範囲】
【請求項１】
耳たぶ挟着型のイヤリングに装着し、イヤリングの落下に伴う紛失を防止するイヤリング紛失防止具であって、左右のイヤリングの固定具に着脱自在に連結する一対の連結リングと、該連結リングを両端に有する紐状の結合体とを備え、各連結リングを左右の固定具にそれぞれ連結し、結合体で左右のイヤリングをつなぎ合わせるように構成したことを特徴とするイヤリング紛失防止具。
【請求項２】
前記結合体は、両耳から首の後側に配される長さに形成された請求項１記載のイヤリング紛失防止具。
【請求項３】
前記連結リングは開閉自在な係止フックが備えられ、前記結合体は装飾用のチェーンにて形成された請求項１記載のイヤリング紛失防止具。
【考案の詳細な説明】
【技術分野】
【０００１】
本考案は、イヤリングが耳から落下したときに紛失を防止することが可能なイヤリング紛失防止具に関する。
【背景技術】
【０００２】
従来、装身具としてのイヤリングには、耳たぶを挟んで固定する挟着型のイヤリングや、耳たぶに開けた孔に固定するピアス型のイヤリングがある。
【０００３】
挟着型のイヤリングには、更にイヤリングの固定具のねじを締め付けて固定するタイプや、固定具にバネ等を利用して固定するタイプなど、各種のイヤリングが使用されている。このような耳たぶ挟着型のイヤリングは、イヤリングに使用する装飾品のサイズや重量を自由に選択できる利点がある。
【０００４】
一方、ピアス型のイヤリングは、耳たぶに開けた孔が広がるおそれがあるので、あまり重量のあるイヤリングには適していない。
【０００５】
一般に、大きなサイズや重量のある高価なイヤリングは、ねじを締め付けて固定する耳たぶ挟着型のイヤリングが選択されているが、イヤリングのサイズや重量が増すほど、耳たぶから落下して紛失する可能性が高くなる。
【０００６】
しかも、片方を紛失してもイヤリングとして使用できなくなるので、重量のあるイヤリングを使用する際は、常に両方のイヤリングに気を使いながら使用する必要があった。
【０００７】
従来では、特許文献１に記載の落下防止装置や、特許文献２に記載の落下防止具などで、耳たぶ挟着型のイヤリングの落下を防止する構成が提案されている。
【０００８】
特許文献１の落下防止装置によると、イヤリングの固定具に連結するチェーン等の結合部に、耳たぶ以外の耳の位置に取り付ける取付部を連結したもので、耳たぶに固定した固定具が外れても、耳たぶ以外の耳の位置に連結された取付部によって耳からイヤリングが落下するのを防止するという構成である。
【０００９】
また、特許文献２に記載の落下防止具では、耳の裏側にかけるフックを形成し、このフックを左右のイヤリングにそれぞれ連結したものである。そして、イヤリングの固定具が耳たぶから外れてもこのフックが耳の裏側に係止しているので、耳からイヤリングが落下するのを防止できるというものである。
【先行技術文献】
【特許文献】
【００１０】
【特許文献１】国際公開第ＷＯ９７/２４９４６号
【特許文献２】実開平０３-１１６１０５号公報
【考案の概要】
【考案が解決しようとする課題】
【００１１】
ところが、特許文献１の落下防止装置では、左右のイヤリングの落下を防止する為に、左右の耳たぶ以外の２カ所に取付部を固定する必要がある。そのため、左右のイヤリングを装着する場合、耳たぶに固定する２カ所と耳たぶ以外の耳に固定する２カ所の合計４カ所に固定する必要があり、耳を挟み付ける負担が通常の倍になる不都合があった。
【００１２】
しかも、このイヤリングを使用するには常に４か所の固定が必要になるので、イヤリングの取付けに極めて多くの手間を要する不都合もある。
【００１３】
一方、特許文献２に記載の落下防止具では、イヤリングの落下を防止するために、耳の裏にフックをかける構成を採用している。そのため、このフックが簡単に外れないようにするには、このフックが耳にぴったりと係合するように、予め使用者の耳に合わせて形を正確に整えておくことが重要になっている。
【００１４】
したがって、フックが使用者の耳に少しでも合わない場合は、このフックが先に落下するおそれがあり、フックが落下する勢いでイヤリングまで落下させてしまう可能性もあった。
【００１５】
しかも、これらの落下防止装置や落下防止具は、いずれも片耳ごとに固定する構成である。そのため、万が一、これらの取付部やフックが耳から外れると、外れたイヤリングが一瞬で身体から離れることになる。その結果、落下したイヤリングが側溝などの思わぬところへ入り込んでしまうなど、落下したイヤリングが紛失する危険性は極めて高いものであった。
【００１６】
そこで本考案は上述の不都合を解消すべく案出されたもので、仮にイヤリングが耳たぶから外れた場合でも、外れたイヤリングが身体から離れないようにすることができ、しかも外れたことを使用者に容易に気付かせることが可能になり、耳への固定負担を増やさず、イヤリングを取付ける手間もかからないイヤリング紛失防止具の提供を目的とする。
【課題を解決するための手段】
【００１７】
上述の目的を達成すべく本考案における第１の手段は、耳たぶ挟着型のイヤリングＰに装着し、イヤリングＰの落下に伴う紛失を防止するイヤリング紛失防止具であって、左右のイヤリングＰの固定具Ｐ１に着脱自在に連結する一対の連結リング１と、該連結リング１を両端に有する紐状の結合体２とで構成され、各連結リング１を左右の固定具Ｐ１にそれぞれ連結し、結合体２で左右のイヤリングＰをつなぎ合わせるように構成したことにある。
【００１８】
第２の手段の前記結合体２は、両耳から首の後側に配される長さに形成されたものとする。
【００１９】
第３の手段において、前記連結リング１は開閉自在な係止フック１Ａが備えられ、前記結合体２は装飾用のチェーンにて形成されたものである。
【考案の効果】
【００２０】
本考案の請求項１に記載のごとく、各連結リング１を左右の固定具Ｐ１にそれぞれ連結し、結合体２で左右のイヤリングＰをつなぎ合わせるように構成したことにより、一方のイヤリングＰが耳たぶから落下しても、結合体２により他方のイヤリングＰとつながっているので、外れたイヤリングＰが身体から離れず、イヤリングＰの紛失を防止することができる。
【００２１】
しかも、結合体２でつなぎ合わせた左右のイヤリングＰは、通常のイヤリングと同様に耳たぶに固定することができるので、従来のイヤリング落下防止具等のように耳への固定負担が増えることはない。また、イヤリングを取付ける手間もかからない。
【００２２】
請求項２のように、結合体２は、両耳から首の後側に配される長さに形成されているので、一方のイヤリングＰが耳から外れた場合は、外れたイヤリングＰが結合体２につながれた状態で首の周辺に留まることになる。しかも、この状態は、敏感な首筋に違和感を得やすい状態になるので、使用者は一方のイヤリングＰが落下したことを容易に知ることができる。また、使用者以外にも、イヤリングＰが落下しているのを目視可能になるので、周囲の者から使用者に落下していることを伝えることも可能になる。この結果、イヤリングＰの落下に伴う紛失を効果的に防止することができる。
【００２３】
また、請求項３のごとく、連結リング１は開閉自在な係止フック１Ａが備えられ、結合体２は装飾用のチェーンにて形成されたものであるから、これら連結リング１及び結合体２を装飾具としての効果を奏するものになる。この結果、イヤリングＰの紛失を防止しながら、各種のイヤリングＰと組み合わせる装飾も可能になるなど、これまでにない首筋後側の装飾効果を得ることができる。
【００２４】
このように本考案によると、イヤリングが耳たぶから外れた場合に、身体から離れることなく、しかも外れたことを気付かせることが可能になり、耳への固定負担を増やさず、イヤリングを取付ける手間もかからないなどの当初の目的を達成した。
【図面の簡単な説明】
【００２５】
【図１】本考案の一実施例を示す一部切欠正面図である。
【図２】本考案の連結リングの拡大側面図で、（イ）は連結前（ロ）は連結後。
【図３】本考案の使用状体を示す側面図である。
【考案を実施するための形態】
【００２６】
本考案は、耳たぶ挟着型のイヤリングＰに装着し、イヤリングＰの落下による紛失を防止するもので、連結リング１と結合体２とを備えている（図１参照）。
【００２７】
連結リング１は、各イヤリングＰの固定具Ｐ１に着脱自在に連結する一対の連結部材である。図示の連結リング１は、装飾用チェーンの端部に設けられているような開閉自在な係止フック１Ａが備えられている（図２参照）。
【００２８】
すなわち、イヤリングＰに連結する前に、連結リング１の係止フック１Ａを開き（図２（イ）参照）、固定具Ｐ１に連結リング１を係止した後、係止フック１Ａを閉じて固定具Ｐ１に連結するものである（同図（ロ）参照）。
【００２９】
結合体２は、この連結リング１を両端に設けた紐状の部材で、この結合体２で左右のイヤリングＰをつなぎ合わせるように構成する（図１参照）。この結合体２は、両耳から首の後側に配される長さに形成されたものである（図３参照）。
【００３０】
図示例の結合体２は、装飾用のチェーンにて形成されている。そして、開閉自在な係止フック１Ａが備えられている連結リング１を両端部に設けることで、これら連結リング１及び結合体２から成る装飾体として使用することが可能になる。すなわち、首筋の裏側を装飾するチェーンとして使用することができる（図３参照）。
【００３１】
しかも、連結リング１の両端部に、係止フック１Ａを設けているので、装着するイヤリングＰを変更したり、結合体２のチェーンの種類を変更したりするなど、組み合わせによって様々な装飾が可能になる。
【００３２】
イヤリングＰを耳たぶに固定するには、結合体２でつないだ左右のイヤリングＰをそれぞれ固定する。この場合、通常のイヤリングＰと同じ状態で耳たぶに固定することができる。
【００３３】
仮に、耳たぶから固定具Ｐ１が外れた場合、結合体２は首筋や肩の上に留まることになる。そして、敏感な首筋に結合体２が直接触れた場合は、使用者は瞬時に落下したことを感知できる。また、首筋に触れずに服の襟や肩などに留まった場合でも、耳たぶに固定されているイヤリングＰに振動等が伝わることで、使用者が感知することが可能になる。
【００３４】
万が一、使用者が気付かない場合でも、イヤリングＰが結合体２にぶら下がっている状態は、周囲から見て明らかにイヤリングＰが外れていることが分かるので、周りの気付いた者が使用者に知らせることが可能になる。
【００３５】
このように、本考案では、耳たぶから落下したイヤリングＰが紛失しないよう構成したものであるから、イヤリングＰが耳から落下しないように防止した従来の構成に残された課題を解消することができる。
【００３６】
尚、本考案において、図示の構成に限定されるものではなく、連結リング１や結合体２の構成は、本考案の要旨を変更しない範囲で設計変更は自由に行える。
【符号の説明】
【００３７】
Ｐ  イヤリング
Ｐ１  固定具
１  連結リング
１Ａ  係止フック
２  結合体
【図１】
0003219445.tif 000003
【図２】
0003219445.tif 000004
【図３】
0003219445.tif 000005